(57)【要約】【課題】歪を少なく利得を大きく出来る電子回路装置を提供する。【解決手段】本発明は差動電圧電流変換回路１１を構成する第１、第２トランジスタ１２、１３、のコレクタ電極に電圧電流変換回路１７を構成する第３トランジスタ１８と第４トランジスタ１９のエミッタ電極を接続し、前記第１トランジスタ１２と第２トランジスタ１３のコレクタ電極を抵抗２２、２３で接続し、前記抵抗の中点に前記差動電圧電流変換回路１１の動作電流を超えない一定の電流Ｉ２を注入する。【選択図】    図１
2007195260.tif 000002
【特許請求の範囲】
【請求項１】
対をなす第１トランジスタと第２トランジスタとよりなる第１差動電圧電流変換回路と、
各コレクタ電極に負荷が接続され、各エミッタ電極が第１前記差動電圧電流変換回路の第１トランジスタと第２トランジスタのコレクタ電極に夫々接続されたトランジスタを有する第２及び第３電圧電流変換回路とを備え、
前記第１差動電圧電流変換回路の第１トランジスタと第２トランジスタのコレクタ電極を抵抗で接続し、
前記抵抗の中点に前記第１差動電圧電流変換回路の動作電流を超えない一定の電流を注入する電流源を設けたことを特徴とする電子回路装置。
【請求項２】
第２及び第３電圧電流変換回路に加えられる入力差動信号の周波数に応じて第１差動電圧電流変換回路に加えられた入力差動信号を周波数変換した出力信号を負荷より取出す周波数変換回路であることを特徴とする請求項１に記載の電子回路装置。
【請求項３】
対をなす第１トランジスタと第２トランジスタとよりなる第１差動電圧電流変換回路と、
コレクタ電極に夫々負荷が接続された第３トランジスタと第５トランジスタよりなる第２差動電圧電流変換回路と、
コレクタ電極に夫々負荷が接続された第４トランジスタと第６トランジスタよりなる第３差動電圧電流変換回路とを備え、
前記第３トランジスタと第４トランジスタのベース電極及び前記第５トランジスタと第６トランジスタのベース電極とを夫々共通接続し、
前記第３及び第５トランジスタのエミッタ電極を第１トランジスタのコレクタ電極に接続すると共に前記第４及び第６トランジスタのエミッタ電極を第２トランジスタのコレクタ電極に接続し、且つ前記第１トランジスタと第２トランジスタのコレクタ電極を抵抗で接続し、
前記抵抗の中点に第１差動電圧電流変換回路の前記動作電流を超えない一定の電流を注入する電流源を設けることを特徴とする電子回路装置。
【請求項４】
前記夫々共通接続した第３トランジスタと第４トランジスタのベース電極及び前記第５トランジスタと第６トランジスタのベース電極とに加えられる入力差動信号の周波数差に応じて第１差動電圧電流変換回路に加えられる入力差動信号を周波数変換した出力信号を負荷に取出す周波数変換回路であることを特徴とする請求項３に記載の電子回路装置。
【請求項５】
前記夫々共通接続した第３トランジスタと第４トランジスタのベース電極及び前記第５トランジスタと第６トランジスタのベース電極とに加えられる入力差動信号の電位差に応じて第１差動電圧電流変換回路に加えられる入力差動信号が増幅された出力信号を負荷に取出す可変利得増幅回路であることを特徴とする請求項３に記載の電子回路装置。
【発明の詳細な説明】
【技術分野】
【０００１】
本発明はテレビ受像器又はＣＡＴＶ等の電子機器の増幅回路あるいは周波数変換回路に用いられる電子回路装置に関する。
【背景技術】
【０００２】
図７は従来のベース接地を有する差動増幅回路である。差動電圧電流変換回路１はエミッタ電極が共通接続された１対のトランジスタ２とトランジスタ３とよりなる。前記トランジスタ２及びトランジスタ３のベース電極には入力差動電圧Ｖｉｎが加えられ、又エミッタ電極には動作電流源ＩＡからの動作電流Ｉ１は供給される。
【０００３】
ベース共通接続回路４はべース電極が共通接続された対をなすのトランジスタ５とトランジスタ６とよりなり、トランジスタ５のエミッタ電極は前記トランジスタ２のコレクタ電極に接続され、またトランジスタ６のエミッタ電極は前記トランジスタ３のコレクタ電極に接続されている。そしてトランジスタ５及びトランジスタ６のコレクタ電極には負荷７及び負荷８が夫々接続されている。
【０００４】
今トランジスタ２及びトランジスタ３の電圧電流変換コンダクタンスｇｍは動作電流Ｉ１で以下の式のように表される。
【０００５】
ｇｍ＝ΔＩ／ΔＶ＝Ｉ１／４ＶＴ
ＶＴ＝ｋＴ／ｑ
となる
ここでΔＩはトランジスタ２とトランジスタ３のコレクタ電極から引き込む出力電流差、またΔＶはトランジスタ２とトランジスタ３のベース電極に加わる入力電圧差、さらにｋはボルツマン定数、Ｔは絶対温度、ｑは電子の電荷量である。
【０００６】
前記ベース接地回路４は対をなすトランジスタ５及びトランジスタ６のベース電極が共通接続され、ベース接地回路として動作するため、図７のアンプの電圧利得Ｖａは入力差動電圧をＶｉｎ、負荷７及び負荷８の抵抗値をＲＬ（ＲＬ１＝ＲＬ２）とすると、  Ｖａ＝Ｖｏｕｔ／Ｖｉｎ＝ｇｍ・ＲＬ＝Ｉ１／４ＶＴ×ＲＬとなり、動作電流Ｉ１と前記負荷７又は負荷８の抵抗値ＲＬ及び物理定数ｑで表せる。
【０００７】
前記ベース接地回路４のベース接地された効果は、周波数応答を悪化させるミラー容量の無効化として知られている。具体的には差動電圧電流変換回路１のトランジスタ２とトランジスタ３のコレクタ電圧は、ベース接地回路４のトランジスタ５とトランジスタ６のエミッタ電極に接続されているので、ほとんど変化することがなく、前記トランジスタ２とトランジスタ３のベース・コレクタ間の容量による負帰還での利得減少を防ぐことができる。
【０００８】
しかしながら、ベース接地回路４のトランジスタ５とトランジスタ６のコレクタ直流電圧は、前記入力差動電圧Ｖｉｎ＝０のとき、電源電圧ＶｃｃからＲＬ×０．５×Ｉ１だけさがったものになるために利得を大きくするためには前記動作電流Ｉ１を大きくするか、抵抗値Ｒｌを大きくする必要があり、おのずから限界がある。従って差動増幅回路１が本来持つ電圧電流変換の非線形特性のために大入力かつ高利得を両立させることが困難である。
【０００９】
図８は前述の従来回路の入力差動電圧対出力電圧特性図である。前記入力差動電圧Ｖｉｎに対する出力電圧Ｖｏｕｔ１及びＶｏｕｔ２はある電圧以上及びある電圧以下では目で見てわかるほど明らかに線形性が失われており、入力差動信号を利得倍した精度のよい増幅は期待できない。
【００１０】
図９は前記図７の電子回路装置を改良した電子回路装置のブロック図である。図１と異なるところは差動電圧電流変換回路１のトランジスタ２及びトランジスタ３のエミッタ電極にエミッタ抵抗９及びエミッタ抵抗１０を接続した以外は同じである。前記エミッタ抵抗９及びエミッタ抵抗１０を挿入し、利得を減少させることにより線形性を保つことを行っている。
【００１１】
図１０から分かるように、入力差動電圧Ｖｉｎに対する出力電圧Ｖｏｕｔ１及びＶｏｕｔ２はある電圧以上及びある電圧以下での線形性が改善されていることが分る。しかし代わりに前記入力差動電圧Ｖｉｎに対する出力電圧Ｖｏｕｔ１及びＶｏｕｔ２の変化が減少していることが分る。
【００１２】
このときの電圧電流変換コンダクタンスｇｍは
ｇｍ＝１／２ＲＥ
（４ＶＴ／Ｉ１＜＜２ＲＥとする）、ＲＥはエミッタ抵抗９及び１０の抵抗値である。
となり、電圧利得Ｖａが
Ｖａ＝ｇｍ・ＲＬ＝ＲＬ／２ＲＥ
となり、減少していることが分る。
【発明の開示】
【発明が解決しようとする課題】
【００１３】
前述したように、差動電圧電流変換回路に接続されたベース接地回路は周波数応答を悪化させるミラー容量の無効化とする効果がある。前述した如く、差動電圧電流変換回路の各トランジスタのコレクタ電圧は、前記ベース接地回路の各トランジスタのエミッタ電極に接続されているので、ほとんど変化することがなく、差動電圧電流変換回路の各トランジスタのベース・コレクタ間の容量による負帰還での利得減少を防ぐことができる。
【００１４】
しかしながら、ベース接地回路の各トランジスタのコレクタ直流電圧は、前記入力差動電圧が０Ｖのとき、電源電圧Ｖｃｃから０．５Ｉ１×ＲＬ分だけさがったものになるために利得を大きくすることにおのずから限界があり、差動増幅回路が本来持つ電圧電流変換の非線形特性のために大入力かつ高利得を両立させることが困難である。
【００１５】
そこで前記差動電圧電流変換回路の各トランジスタのエミッタ電極にエミッタ抵抗を接続することにより前記結合抵抗を挿入し、利得を減少させることにより線形性を保つことを行っている。しかし前記入力差動電圧に対する出力電圧の変化が減少してしまい、利得を減少させることなく線形性を保持することが出来なかった。
【課題を解決するための手段】
【００１６】
本発明は利得を減少させることなく線形性を保持する電子回路装置を提供するもので、
本発明は第１トランジスタと第２トランジスタとよりなる差動電圧電流変換回路と、ベース電極が共通接続され、コレクタ電極に夫々負荷が接続された第３トランジスタと第４トランジスタよりなるベース共通接続回路とを備え、前記第３トランジスタのエミッタ電極を第１トランジスタのコレクタ電極に接続すると共に前記第４トランジスタのエミッタ電極を第２トランジスタのコレクタ電極に接続し、且つ第１トランジスタと第２トランジスタのコレクタ電極を抵抗で接続し、前記抵抗の中点に前記差動電圧電流変換回路の動作電流を超えない一定の電流を注入する電流源を備えた電子回路装置を提供する。
【００１７】
又本発明は前記差動電圧電流変換回路の第１トランジスタと第２トランジスタに加えられる入力差動信号の電位差に応じ増幅された出力信号を負荷に取出す増幅回路である電子回路装置を提供する。
【００１８】
本発明は対をなす第１トランジスタと第２トランジスタとよりなる第１差動電圧電流変換回路と、各々のコレクタ電極に負荷が接続され、エミッタ電極が第１差動電圧電流変換回路の各トランジスタのコレクタ電極に接続されたトランジスタを有する第２及び第３電圧電流変換回路とを設け、前記第１差動電圧電流変換回路の第１トランジスタと第２トランジスタのコレクタ電極を抵抗で接続し、前記抵抗の中点に前記差動電圧電流変換回路の動作電流を超えない一定の電流を注入する電流源を備えた電子回路装置を提供する。
【００１９】
さらに本発明は第２及び第３電圧電流変換回路に加えられる入力差動信号の周波数に応じて第１差動電圧電流変換回路に加えられた入力差動信号と周波数変換された出力信号を負荷に取出す周波数変換回路である電子回路装置を提供する。
【００２０】
本発明は対をなす第１トランジスタと第２トランジスタとよりなる第１差動電圧電流変換回路と、エミッタ電極が結合され、コレクタ電極に夫々負荷が接続された第３トランジスタと第５トランジスタよりなる第２差動電圧電流変換回路と、エミッタ電極が結合され、コレクタ電極に夫々負荷が接続された第４トランジスタと第６トランジスタよりなる第３差動電圧電流変換回路とを備え、前記第３及び第５トランジスタのエミッタ電極を第１トランジスタのコレクタ電極に接続すると共に前記第４及び第６トランジスタのエミッタ電極を第２トランジスタのコレクタ電極に接続し、且つ第１トランジスタと第２トランジスタのコレクタ電極を抵抗で接続し、前記第３トランジスタと第４トランジスタのベース電極及び前記第５トランジスタと第６トランジスタのベース電極とを夫々共通接続し、前記抵抗の中点に前記差動電圧電流変換回路の動作電流を超えない一定の電流を注入する電流源を備えた電子回路装置を提供する。
【００２１】
本発明は前記夫々共通接続した第３トランジスタと第４トランジスタのベース電極及び前記第５トランジスタと第６トランジスタのベース電極とに加えられる入力差動信号の周波数差に応じて第１差動電圧電流変換回路に加えられる入力差動信号を周波数変換した出力信号を負荷に取出す周波数変換回路である電子回路装置を提供する。
【００２２】
本発明は前記夫々共通接続した第３トランジスタと第４トランジスタのベース電極及び前記第５トランジスタと第６トランジスタのベース電極とに加えられる入力差動信号の電位差に応じて第１差動電圧電流変換回路に加えられた入力差動信号が増幅された出力信号を負荷に取出す可変利得増幅回路である電子回路装置を提供する。
【発明の効果】
【００２３】
本発明の電子回路装置はベース電極が共通接続された第１トランジスタと第２トランジスタとよりなる第１差動電圧電流変換回路に、第２差動電圧変換回路を構成する第３トランジスタと第４トランジスタのエミッタ電極を第１及び第２トランジスタのコレクタ電極に夫々接続すると共に、前記第１トランジスタと第２トランジスタのコレクタ電極を抵抗で接続し、前記抵抗の中点に前記差動電圧電流変換回路の動作電流を超えない一定の電流を注入したので、前記負荷に流れる直流電位を減少させることことが出来、その分負荷の抵抗を大きく出来る。従って負荷の抵抗を大きくした分だけ利得を向上し、かつ歪を少なくした出力信号を取出すことができる。
【００２４】
また本発明の電子回路装置は周波数変換回路及び可変利得増幅回路に用いた場合にも前記と同様に利得を向上し、かつ歪を少なくした出力信号を取出すことができる。
【発明を実施するための最良の形態】
【００２５】
本発明の電子回路装置を図１〜図６に従って説明する。
【００２６】
図１は本発明の電子回路装置の図で、差動電圧電流変換回路１１は１対の第１トランジスタ１２と第２トランジスタ１３とよりなり、前記第１トランジスタ１２及び第２トランジスタ１３のベース電極には入力差動電圧Ｖｉｎが加えられる。又前記第１トランジスタ１２及び第２トランジスタ１３のエミッタ電極は結合抵抗１４及び結合抵抗１５を介して結合されて、その中点には動作電流Ｉ１を供給する第１電流源ＩＡが接続されている。尚前記第１トランジスタ１２と第２トランジスタ１３のエミッタ電極は抵抗を介さず直接結合し第１電流源ＩＡに接続してもよい。
【００２７】
ベース共通接続回路１７はべース電極が共通接続され接地された対をなす第３トランジスタ１８と第４トランジスタ１９とよりなり、第３トランジスタ１８のエミッタ電極は前記第１トランジスタ１２のコレクタ電極に接続され、また第４トランジスタ１９のエミッタ電極は前記第２トランジスタ１３のコレクタ電極に接続されている。そして第３トランジスタ１８及び第４トランジスタ１９のコレクタ電極には負荷２０及び負荷２１が夫々接続されている。
【００２８】
さらに第３トランジスタ１８のエミッタ電極が接続された前記第１トランジスタ１２のコレクタ電極と第４トランジスタ１９のエミッタ電極が接続された前記第２トランジスタ１３のコレクタ電極とは抵抗２２及び抵抗２３を介して結合され、その結合された中点に差動電圧電流変換回路１１の前記動作電流Ｉ１を超えない一定の電流Ｉ２を注入する第２電流源ＩＢが接続されている。
【００２９】
本発明の電子回路装置は上述の構成をなし差動電圧電流変換回路１１の第１トランジスタ１２のベース電極に加えられる差動電位Ｖｉｎに応じて負荷２０及び負荷２１に出力電圧が得られる。ところで第２電流源ＩＢの電流Ｉ２は、抵抗２２及び抵抗２３を介して夫々差動電圧電流変換回路１１の第１トランジスタ１２及び第２トランジスタ２３に注入されているため、負荷抵抗２０及び負荷抵抗２１に流れる直流電流は結果的に減少する。
【００３０】
そこで、負荷２０の抵抗値ＲＬ３及び負荷２１の抵抗値ＲＬ４を図７及び図９に示めす従来の負荷７の抵抗値ＲＬ１及び負荷８の抵抗値ＲＬ２より大きくすることにより、直流電位を同じ電位まで下げることができる。この場合電圧利得Ｖａは、先の式と同様に
Ｖａ＝ｇｍ・ＲＬａ＝ＲＬａ／２ＲＥ
但しＲＬａ＝ＲＬ３＝ＲＬ４
で表される。
【００３１】
図２に示めすように負荷２０、２１の抵抗値ＲＬ３、ＲＬ４を従来回路の負荷７、８の負荷抵抗値ＲＬ１、ＲＬ２より大きくした分だけ図１０に比して利得を向上したことができる。さらに図８の従来の電子回路装置の入力差動信号差対出力信号特性に比較して非線形性向上が見て取れる。
【００３２】
図３に示めすように、非線形性の向上は差動増幅回路１の入出力特性での比較でより具体的に理解できる。横軸が入力差動信号の大きさで、縦軸が出力信号の大きさを表し、点線□が図７の従来の電子回路装置の入出力特性、点線×が図９の従来の電子回路装置の入出力特性、実線◇が図１の本発明の電子回路装置の入出力特性である。本発明の電子回路装置の入出力特性は図７の従来の電子回路装置の入出力特性と比較して利得がほぼ同じであるにもかかわらず高調波成分が非常に小さく、右下に示したように歪特性が改善されていることを分る。又電子回路装置の入出力特性は図９の従来の電子回路装置の入出力特性と比較して歪特性はほぼ同じであるが、電圧利得が大きく取れていることが分る。
【００３３】
図４は本発明の電子回路装置を周波数変換回路に用いた実施例を示めすブロック図である。第１差動電圧電流変換回路２２は前述と同様に１対の第１トランジスタ１２と第２トランジスタ１３とよりなり、前記第１トランジスタ１２及び第２トランジスタ１３のベース電極には入力差動信号ｆ１が加えられる。又前記第１トランジスタ１２及び第２トランジスタ１３のエミッタ電極には直接に第１電流源Ｉ１が接続されているが、前述と同様に結合抵抗１４及び結合抵抗１５を介して結合し前記第１電流源Ｉ１に接続してもよい。
【００３４】
第２差動電圧電流変換回路３３は前記第３トランジスタ１８と第５トランジスタ３５とよりなり、第３差動電圧電流変換回路３４は第４トランジスタ１９と第６トランジスタ３６を有し、前記第５トランジスタ３５と第６トランジスタ３６のコレクタ電極に夫々負荷３７と負荷３８が接続されている。
【００３５】
前記第３トランジスタ１８と第４トランジスタ１９のベース電極及び前記第５トランジスタ３５と第６トランジスタ３６のベース電極とは各々接続されている。
【００３６】
又第３トランジスタ１８と第５トランジスタ３５のエミッタ電極は結合され、前記第１差動電圧電流変換回路３２の第１トランジスタ１２のコレクタ電極に接続されている。同様に第４トランジスタ１９と第６トランジスタ３６のエミッタ電極は結合され、第１差動電圧電流変換回路３２の第２トランジスタ１３のコレクタ電極に接続されている。
【００３７】
前記第１トランジスタ１２のコレクタ電極と前記第２トランジスタ１３のコレクタ電極とは前記と同じく抵抗２２及び抵抗２３を介して結合され、その結合された中点の第１電流源ＩＡから第１差動電圧電流変換回路３２の動作電流Ｉ１を超えない一定に電流Ｉ２を注入する第２電流源ＩＢが接続されている。
【００３８】
図５に示めすように、共通接続された第３トランジスタ１８と第４トランジスタ１９のベース電極と第５トランジスタ３５と第６トランジスタ３６のベース電極に周波数ｆ２の入力差動信号が加えられる。この場合にも第２電流源ＩＢからの電流Ｉ２が第１トランジスタ１２と第２トランジスタ１３に抵抗２２、２３を介して加えられるため、第１トランジスタ１２と第２トランジスタ１３のベース電極に加えられる図５（ロ）に示す入力差動信号の周波数ｆ１との和の周波数ｆ１＋ｆ２と差の周波数ｆ１−ｆ２との周波数変換された図５（イ）に示す出力信号が負荷２０、２１等から歪みがなく取出されることとなる。
【００３９】
図６は本発明の電子回路装置を可変利得変換回路に用いた実施例を示めすブロック図で、前記共通接続された第３トランジスタ１８と第４トランジスタ１９のベース電極と第５トランジスタ３５と第６トランジスタ３６のベース電極に直流電位差Ｅｏを有する信号が加えられる。従って前述と同様に第２電流源ＩＢからの電流Ｉ２が第１トランジスタ１２と第２トランジスタ１３に抵抗２２、２３を介して加えられるため、前記第３トランジスタ１８と第４トランジスタ１９のベース電極と第５トランジスタ３５と第６トランジスタ３６のベース電極に加えられる直流電位差の電流分配の比率を変えることにより負荷２０、２１から利得を変化させた歪みがない大出力信号を取出され、可変利得増幅回路としても利用できる。
【図面の簡単な説明】
【００４０】
【図１】本発明の電子回路装置のブロック図である。
【図２】本発明の電子回路装置の入力差動信号の電位差対出力電圧の関係を示めす特性図である。
【図３】本発明及び従来の電子回路装置の入力差動信号の大きさと出力信号の大きさの関係を示めす特性図である。
【図４】本発明の電子回路装置の他の実施例を示めすブロック図である。
【図５】本発明である図４の電子回路装置の出力信号の波形図である。
【図６】本発明の電子回路装置の他の実施例を示めすブロック図である。
【図７】従来の電子回路装置のブロック図である。
【図８】図７の従来の電子回路装置の入力差動信号の電位差対出力電圧の関係を示めす特性図である。
【図９】従来の電子回路装置の他の実施例を示めすブロック図である。
【図１０】図９の従来の電子回路装置の入力差動信号の電位差対出力電圧の関係を示めす特性図である。
【符号の説明】
【００４１】
１１  差動電圧電流変換回路
１２  第１トランジスタ
１３  第２トランジスタ
１４  結合抵抗
１５  結合抵抗
１７  ベース共通接続回路
１８  第３トランジスタ
１９  第４トランジスタ
２０  負荷
２１  負荷
２２  抵抗
２３  抵抗
３２  第１差動電圧電流変換回路
３３  第２差動電圧電流変換回路
３４  第３差動電圧電流変換回路
３５  第５トランジスタ
３６  第６トランジスタ
ＩＢ  電流源
【図１】
2007195260.tif 000003
【図２】
2007195260.tif 000004
【図３】
2007195260.tif 000005
【図４】
2007195260.tif 000006
【図５】
2007195260.tif 000007
【図６】
2007195260.tif 000008
【図７】
2007195260.tif 000009
【図８】
2007195260.tif 000010
【図９】
2007195260.tif 000011
【図１０】
2007195260.tif 000012
【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
入力信号がベースに印加される第１及び第２トランジスタを備える差動増幅器と、
前記第１、前記第２トランジスタのコレクタ間に直列接続される第１及び第２抵抗と、
前記第１、前記第２抵抗との接続点に一定電流を供給する定電流源と、
各エミッタが前記第１トランジスタのコレクタに夫々接続された第３及び第５トランジスタを有する第２差動増幅器と、
各エミッタが前記第２トランジスタのコレクタに夫々接続された第４及び第６トランジスタを有する第３差動増幅器と、
前記第３トランジスタのコレクタに接続された第１負荷抵抗と、
前記第４トランジスタのコレクタに接続された第２負荷抵抗と、
前記第１負荷抵抗と前記第３トランジスタのコレクタに接続される第１出力端子と、
前記第２負荷抵抗と前記第４トランジスタのコレクタに接続される第２出力端子と、
を備える電子回路装置であって
前記定電流源の電流を前記差動増幅器に供給することにより、前記差動増幅器の動作電流を増加させると共に、前記第１出力端子及び前記第２出力端子の出力直流電位を上げることを特徴とする電子回路装置。
【請求項２】
前記第３トランジスタのベースと前記第４トランジスタのベースとを接続し、前記第５トランジスタのベースと第６トランジスタのベースとを接続し、前記第３及び第５トランジスタのエミッタ電極を第１トランジスタのコレクタに接続し、前記第４及び第６トランジスタのエミッタを第２トランジスタのコレクタに接続することを特徴とする請求項１記載の電子回路装置。
【請求項３】
前記第２差動増幅器及び前記第３差動増幅器に加えられる入力信号の周波数に応じて、前記差動増幅器に加えられた入力信号を周波数変換した出力信号を前記第１出力端子と前記第２出力端子から取り出す周波数変換回路であることを特徴とする請求項２に記載の電子回路装置。
【請求項４】
前記第２差動増幅器及び前記第３差動増幅器に加えられる入力信号の電位差に応じて、前記差動増幅器に加えられた入力信号が増幅された出力信号を前記第１及び前記第２出力端子から取り出す可変利得増幅回路であることを特徴とする請求項２に記載の電子回路装置。
【手続補正２】
【補正対象書類名】明細書
【補正対象項目名】００１６
【補正方法】変更
【補正の内容】
【００１６】
本発明は入力信号がベースに印加される第１及び第２トランジスタを備える差動増幅器と、前記第１、前記第２トランジスタのコレクタ間に直列接続される第１及び第２抵抗と、前記第１、前記第２抵抗との接続点に一定電流を供給する定電流源と、各エミッタが前記第１トランジスタのコレクタに夫々接続された第３及び第５トランジスタを有する第２差動増幅器と、各エミッタが前記第２トランジスタのコレクタに夫々接続された第４及び第６トランジスタを有する第３差動増幅器と、前記第３トランジスタのコレクタに接続された第１負荷抵抗と、前記第４トランジスタのコレクタに接続された第２負荷抵抗と、前記第１負荷抵抗と前記第３トランジスタのコレクタに接続される第１出力端子と、前記第２負荷抵抗と前記第４トランジスタのコレクタに接続される第２出力端子と、を備える電子回路装置であって、前記定電流源の電流を前記差動増幅器に供給することにより、前記差動増幅器の動作電流を増加させると共に、前記第１出力端子及び前記第２出力端子の出力直流電位を上げることを特徴とする電子回路装置を提供する。
【手続補正３】
【補正対象書類名】明細書
【補正対象項目名】００１７
【補正方法】変更
【補正の内容】
【００１７】
又本発明は前記第３トランジスタのベースと前記第４トランジスタのベースとを接続し、前記第５トランジスタのベースと第６トランジスタのベースとを接続し、前記第３及び第５トランジスタのエミッタ電極を第１トランジスタのコレクタに接続し、前記第４及び第６トランジスタのエミッタを第２トランジスタのコレクタに接続することを特徴とする電子回路装置を提供する。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】